(57)【要約】【課題】データ要請方法及び装置、並びにデータ獲得方法及び装置を提供する。【解決手段】第１機器で時間情報を生成し、時間情報によって示される時点で、第２機器で出力されたデータを要請するデータ要請命令を生成した後、生成されたデータ要請命令を伝送し、データ要請命令が時間情報を含むデータ要請方法及び獲得方法である。【選択図】図８
2011045084.tif 000002
【特許請求の範囲】
【請求項１】
第１機器でデータを要請する方法において、
前記第１機器から時間情報を生成させる段階と、
前記時間情報によって示される時点で、第２機器で出力されたデータを要請するデータ要請命令を生成する段階と、
前記生成されたデータ要請命令を伝送する段階と、を含み、
前記データ要請命令は、前記時間情報を含むことを特徴とするデータ要請方法。
【請求項２】
前記方法は、前記第１機器が具備した撮像部で、前記第２機器を撮影する段階をさらに含み、
前記時間情報は、前記第２機器が撮影された時間を示すことを特徴とする請求項１に記載のデータ要請方法。
【請求項３】
前記データ要請命令を生成する段階は、
前記第１機器の動作モードを判断する段階と、
前記動作モードがキャプチャモードであるならば、前記データ要請命令を生成する段階と、を含むことを特徴とする請求項２に記載のデータ要請方法。
【請求項４】
前記判断する段階は、
前記撮影された第２機器が出力部を含むか否かを判断する段階と、
前記第２機器が出力部を含めば、前記動作モードをキャプチャモードに決定する段階と、を含むことを特徴とする請求項３に記載のデータ要請方法。
【請求項５】
前記データ要請命令は、
前記撮像部で撮影した前記第２機器に係わる映像データをさらに含むことを特徴とする請求項２に記載のデータ要請方法。
【請求項６】
前記データ要請命令は、
前記要請されたデータが伝送される第３機器についての情報をさらに含むことを特徴とする請求項２に記載のデータ要請方法。
【請求項７】
前記方法は、
前記時間情報によって示される時点から所定時間以内に、前記第２機器で出力された複数個のデータを受信する段階をさらに含むことを特徴とする請求項１に記載のデータ要請方法。
【請求項８】
第２機器でデータを獲得する方法において、
データを出力する段階と、
第１機器から、時間情報が含まれたデータ要請命令を受信する段階と、
前記時間情報に基づいて、前記時間情報によって示される時点で、前記第２機器で出力されたデータを獲得する段階と、を含むことを特徴とするデータ獲得方法。
【請求項９】
前記データ要請命令は、
前記第１機器が具備した撮像部で、前記第２機器を撮影するときに生成されることを特徴とする請求項８に記載のデータ獲得方法。
【請求項１０】
前記データ要請命令は、
前記撮像部が撮影した前記第２機器に係わる映像データをさらに含むことを特徴とする請求項９に記載のデータ獲得方法。
【請求項１１】
前記方法は、前記出力されたデータを保存する段階をさらに含み、
前記獲得する段階は、前記時間情報に基づいて、前記保存されたデータを検索する段階を含むことを特徴とする請求項１０に記載のデータ獲得方法。
【請求項１２】
前記検索する段階は、
前記データ要請命令に含まれた前記第２機器に係わる映像データにさらに基づいて、前記保存されたデータを検索する段階を含むことを特徴とする請求項１１に記載のデータ獲得方法。
【請求項１３】
前記データ要請命令は、前記要請されたデータが伝送される第３機器についての情報をさらに含み、
前記方法は、前記獲得されたデータを、前記第３機器に伝送する段階をさらに含むことを特徴とする請求項８に記載のデータ獲得方法。
【請求項１４】
前記獲得する段階は、前記時間情報によって示される時点から所定時間以内に、前記第２機器で出力された複数個のデータを獲得する段階を含み、
前記方法は、前記獲得された複数個のデータを、前記第１機器に伝送する段階をさらに含むことを特徴とする請求項８に記載のデータ獲得方法。
【請求項１５】
前記獲得する段階は、
前記時間情報に基づいて、前記要請されたデータを外部装置に要請する段階と、
前記外部装置から、前記要請されたデータを受信する段階と、を含むことを特徴とする請求項８に記載のデータ獲得方法。
【請求項１６】
時間情報を生成する時間情報生成部と、
前記時間情報によって示される時点で、第２機器で出力されたデータを要請するデータ要請命令を生成する要請命令生成部と、
前記生成されたデータ要請命令を伝送する伝送部と、を含み、
前記データ要請命令は、前記時間情報を含むことを特徴とするデータ要請装置。
【請求項１７】
前記データ要請装置は、前記第２機器を撮影する撮像部をさらに含み、
前記時間情報は、前記撮像部が前記第２機器を撮影した時間を示すことを特徴とする請求項１６に記載のデータ要請装置。
【請求項１８】
前記要請命令生成部は、
前記データ要請装置の動作モードを判断するモード判断部と、
前記動作モードがキャプチャモードであるならば、前記データ要請命令を生成する生成部と、を含むことを特徴とする請求項１７に記載のデータ要請装置。
【請求項１９】
前記モード判断部は、
前記撮像部が撮影した第２機器が出力部を含むか否かを判断し、前記第２機器が出力部を含めば、前記動作モードをキャプチャモードに決定することを特徴とする請求項１８に記載のデータ要請装置。
【請求項２０】
前記データ要請命令は、
前記撮像部が撮影した前記第２機器に係わる映像データをさらに含むことを特徴とする請求項１７に記載のデータ要請装置。
【請求項２１】
前記データ要請命令は、
前記要請されたデータが伝送される第３機器についての情報をさらに含むことを特徴とする請求項１７に記載のデータ要請装置。
【請求項２２】
前記データ要請装置は、
前記時間情報によって示される時点から所定時間以内に、前記第２機器で出力された複数個のデータを受信する受信部をさらに含むことを特徴とする請求項１６に記載のデータ要請装置。
【請求項２３】
データを出力する出力部と、
第１機器から、時間情報が含まれたデータ要請命令を受信する受信部と、
前記時間情報に基づいて、前記時間情報によって示される時点で、前記出力部で出力されたデータを獲得する獲得部と、を含むことを特徴とするデータ獲得装置。
【請求項２４】
前記データ要請命令は、
前記第１機器が具備した撮像部で、前記第２機器を撮影するときに生成されることを特徴とする請求項２３に記載のデータ獲得装置。
【請求項２５】
前記データ要請命令は、
前記撮像部が撮影した前記データ獲得装置に係わる映像データをさらに含むことを特徴とする請求項２４に記載のデータ獲得装置。
【請求項２６】
前記データ獲得装置は、前記出力されたデータが保存される保存部をさらに含み、
前記獲得部は、前記時間情報に基づいて、前記保存されたデータを検索する検索部を含むことを特徴とする請求項２５に記載のデータ獲得装置。
【請求項２７】
前記検索部は、
前記データ要請命令に含まれた前記データ獲得装置に係わる映像データにさらに基づいて、前記保存されたデータを検索することを特徴とする請求項２６に記載のデータ獲得装置。
【請求項２８】
前記データ要請命令は、前記要請されたデータが伝送される第３機器についての情報をさらに含み、
前記データ獲得装置は、前記獲得されたデータを前記第３機器に伝送する伝送部をさらに含むことを特徴とする請求項２３に記載のデータ獲得装置。
【請求項２９】
前記獲得部は、前記時間情報によって示される時間から臨界時間以内に、前記出力部で出力された複数個のデータを獲得し、
前記データ獲得装置は、前記獲得された複数個のデータを、前記第１機器に伝送する伝送部をさらに含むことを特徴とする請求項２３に記載のデータ獲得装置。
【請求項３０】
前記獲得部は、
前記時間情報に基づいて、前記要請されたデータを外部装置に要請する要請部と、
前記外部装置から、前記要請されたデータを受信する受信部と、を含むことを特徴とする請求項２３に記載のデータ獲得装置。
【請求項３１】
請求項１ないし請求項７のうち、いずれか１項に記載の方法を具現するためのプログラムが記録されたコンピュータで読み取り可能な記録媒体。
【請求項３２】
請求項８ないし請求項１５のうち、いずれか１項に記載の方法を具現するためのプログラムが記録されたコンピュータで読み取り可能な記録媒体。
【発明の詳細な説明】
【技術分野】
【０００１】
本発明は、データを要請する方法及び装置、データを提供する方法及び装置に係り、撮像部を具備したデータ要請装置、及び撮像部を具備したデータ要請装置でのデータ要請方法と、出力部を具備したデータ提供装置及び出力部を具備したデータ提供装置でのデータ提供方法とに関する。
【背景技術】
【０００２】
情報通信技術の発達に力を得て、一つ以上の機器間の通信が普遍化されている。特に、家庭内でホームネットワークを具現し、ホームネットワークを介して、機器間のデータを伝送したり制御命令を伝送できるようになった。
【０００３】
かようなホームネットワークを利用すれば、１つの機器に保存されたコンテンツを、他の機器で利用できることによって、データの効率的な共有が可能になり、１つの機器で提供される機能を他の機器で提供されるようになることによって、機能の多角化が可能になる。
【０００４】
かようなコンテンツの伝送制御にかかわる方法は、特許文献１に開示されてある。
【先行技術文献】
【特許文献】
【０００５】
【特許文献１】韓国特許第０６１０３７１号公報
【発明の概要】
【発明が解決しようとする課題】
【０００６】
本発明は、データ要請方法及び装置、並びにデータ獲得方法及び装置を提供することである。
【課題を解決するための手段】
【０００７】
本発明の目的を達成するための本発明の１つの特徴は、前記第１機器から時間情報を生成させる段階と、前記時間情報によって示される時点で、第２機器で出力されたデータを要請するデータ要請命令を生成する段階と、前記生成されたデータ要請命令を伝送する段階とを含み、前記データ要請命令は、前記時間情報を含むものである。
【０００８】
前記方法は、前記第１機器が具備した撮像部で前記第２機器を撮影する段階をさらに含み、前記時間情報は、前記第２機器が撮影された時間を示すことができる。
【０００９】
前記データ要請命令を生成する段階は、前記第１機器の動作モードを判断する段階と、前記動作モードがキャプチャモードであるならば、前記データ要請命令を生成する段階とを含むことができる。
【００１０】
前記判断する段階は、前記撮影された第２機器が出力部を含むか否かを判断する段階と、前記第２機器が出力部を含めば、前記動作モードをキャプチャモードに決定する段階を含むことができる。
【００１１】
前記データ要請命令は、前記撮像部で撮影した前記第２機器に係わる映像データをさらに含むことができる。
【００１２】
前記データ要請命令は、前記要請されたデータが伝送される第３機器についての情報をさらに含むことができる。
【００１３】
前記方法は、前記時間情報によって示される時点から所定時間以内に、前記第２機器で出力された複数個のデータを受信する段階をさらに含むことができる。
【００１４】
本発明の他の実施例が有する１つの特徴は、データを出力する段階と、第１機器から、時間情報が含まれたデータ要請命令を受信する段階と、前記時間情報に基づいて、前記時間情報によって示される時点で、前記第２機器で出力されたデータを獲得する段階とを含むものである。
【００１５】
前記データ要請命令は、前記第１機器が具備した撮像部で前記第２機器を撮影するときに生成されうる。
【００１６】
前記データ要請命令は、前記撮像部が撮影した前記第２機器に係わる映像データをさらに含むことができる。
【００１７】
前記方法は、前記出力されたデータを保存する段階をさらに含み、前記獲得する段階は、前記時間情報に基づいて、前記保存されたデータを検索する段階を含むことができる。
【００１８】
前記検索する段階は、前記データ要請命令に含まれた前記第２機器に係わる映像データにさらに基づいて、前記保存されたデータを検索する段階を含むことができる。
【００１９】
前記データ要請命令は、前記要請されたデータが伝送される第３機器についての情報をさらに含み、前記方法は、前記獲得されたデータを前記第３機器に伝送する段階をさらに含むことができる。
【００２０】
前記獲得する段階は、前記時間情報によって示される時点から所定時間以内に、前記第２機器で出力された複数個のデータを獲得する段階を含み、前記方法は、前記獲得された複数個のデータを前記第１機器に伝送する段階をさらに含むことができる。
【００２１】
前記獲得する段階は、前記時間情報に基づいて、前記要請されたデータを外部装置に要請する段階と、前記外部装置から、前記要請されたデータを受信する段階とを含むことができる。
【００２２】
本発明の他の実施例が有する１つの特徴は、時間情報を生成する時間情報生成部と、前記時間情報によって示される時点で、第２機器で出力されたデータを要請するデータ要請命令を生成する要請命令生成部と、前記生成されたデータ要請命令を伝送する伝送部とを含み、前記データ要請命令は、前記時間情報を含むものである。
【００２３】
本発明の他の実施例が有する１つの特徴は、データを出力する出力部と、第１機器から、時間情報が含まれたデータ要請命令を受信する受信部と、前記時間情報に基づいて、前記時間情報によって示される時点で、前記出力部で出力されたデータを獲得する獲得部とを含むものである。
【図面の簡単な説明】
【００２４】
【図１】本発明の一実施形態によるデータ獲得システムに係わるブロック図である。
【図２】本発明の他の実施形態によるデータ獲得システムに係わるブロック図である。
【図３】本発明の一実施形態によるデータ獲得過程を示す図面である。
【図４】本発明の一実施形態によるネットワーク・システムに係わるブロック図である。
【図５】本発明の一実施形態によるデータ獲得システム動作のフローチャートである。
【図６】本発明の一実施形態によるデータ要請装置の動作モードに係わる一例を説明する図面である。
【図７】本発明の一実施形態によるデータ要請命令に係わるデータ構造を示す図面である。
【図８】本発明の一実施形態によるデータ要請方法に係わるフローチャートである。
【図９】本発明の一実施形態によるデータ要請方法に係わるフローチャートである。
【発明を実施するための形態】
【００２５】
以下、添付された図面を参考にしつつ、本発明の望ましい実施形態について詳細に説明する。
【００２６】
図１は、本発明の一実施形態によるデータ獲得システム１００に係わるブロック図を示している。
【００２７】
データ獲得システム１００は、データ要請装置１１０及びデータ獲得装置１２０を含む。
【００２８】
データ要請装置１１０は、他の機器と通信を行うことができる機器であり、リモコン、携帯電話、カメラ、カムコーダなどを含む。データ獲得装置１２０は、データを出力できる出力部が含まれた機器であり、ＴＶ（television）、コンピュータ、ＰＤＡ（personal digital assistant）、携帯電話を含む。
【００２９】
データ要請装置１１０は、時間情報生成部１１２、要請命令生成部１１４及び伝送部１１６を含む。
【００３０】
時間情報生成部１１２は、データを要請するのに必要な時間情報を生成する。データ要請装置１１０での時間と、データ獲得装置１２０での時間は、同期化されることが望ましい。
【００３１】
時間情報生成部１１２は、データ要請装置１１０内のインターフェース部（図示せず）でユーザの入力が受信される時点の時間情報を生成できる。一例として、データ要請装置１１０がリモコンである場合、ユーザが所定のボタンを押せば、時間情報生成部１１２は、ボタンが押された時点の時間情報を生成する。他の例として、データ要請装置１１０がカメラである場合、ユーザが所定の条件によってシャッターを押せば、時間情報生成部１１２は、シャッターが押された時点の時間情報を生成する。
【００３２】
要請命令生成部１１４は、データ要請命令を生成する。データ要請命令は、時間情報生成部１１２で生成した時間情報を含み、時間情報によって示される時点で、データ獲得装置１２０で出力されたデータを要請するためのものである。
【００３３】
データ要請命令は、データ要請装置１１０によって要請されたデータを特定するのに必要ないかなる情報も含まれうる。
【００３４】
一例として、データ要請命令には、データ獲得装置１２０の出力部１２２でデータが出力されるとき、出力部１２２を撮影して得られる映像データが含まれうる。また、データが第３機器に伝達されることを望む場合、データ要請命令には、データが伝送される第３機器についての識別情報が含まれうる。データ要請命令に係わる一例は、図７で後述する。
【００３５】
伝送部１１６は、データ要請命令を伝送する。データ要請命令に、データ獲得装置１２０を撮影して獲得した映像データが含まれない場合には、伝送部１１６が、データ要請命令とは別途に、データ獲得装置１２０を撮影して獲得した映像データを伝送できる。伝送部１１６は、データ要請命令を、データ獲得装置１２０または外部サーバ（図示せず）に伝送する。
【００３６】
データ要請装置１１０は、受信部（図示せず）をさらに含むことができる。
【００３７】
受信部（図示せず）は、データ獲得装置１２０または外部サーバ（図示せず）からデータを受信する。受信部（図示せず）は、時間情報によって示される時点から所定時間以内に、データ獲得装置１２０の出力部１２２が出力した複数個のデータを受信することができる。データ獲得装置１２０が、１秒に６０個の映像フレームを出力するＴＶであると仮定すれば、データ獲得装置１２０では、時間情報だけでデータ要請装置１２０が所望するデータを正確に検索し難い。かような問題点を解決するために、データ獲得装置１２０は、時間情報によって示される時点から所定時間以内に、出力部１２２で出力された複数個のデータを検索し、ユーザに伝送することによって、ユーザが所望するデータを獲得できるようにするのである。
【００３８】
データ獲得装置１２０は、出力部１２２、受信部１２４及び獲得部１２６を含むことができる。
【００３９】
出力部１２２は、データを出力する。出力部１２２は、映像データを出力する映像出力部（図示せず）（例えば、ＬＣＤ（liquid crystal display））、及び音声データを出力する音声出力部（図示せず）（例えば、スピーカ）のうち、少なくとも一つを含むことができる。
【００４０】
受信部１２４は、データ要請装置１１０から時間情報が含まれたデータ要請命令を受信する。
【００４１】
獲得部１２６は、時間情報に基づいて、時間情報によって示される時点で、出力部１２２で出力されたデータを獲得する。出力部１２２で出力されたデータが、データ獲得装置１２０の内部に保存された場合に、獲得部１２６は、保存されたデータを検索し、データ要請装置１１０が所望するデータを獲得する。出力部１２２で出力されたデータが、データ獲得装置１２０の内部に保存されていなかったり、検索結果、データ要請装置１１０が所望するデータがない場合、獲得部１２６は、外部サーバにデータを要請する。
【００４２】
実施形態によっては、獲得部１２６が時間情報によって示される時点から所定時間以内に、出力部１２２で出力された複数個のデータを獲得し、それらをデータ要請装置１１０に提供することもできる。
【００４３】
図２は、本発明の他の実施形態によるデータ獲得システム２００に係わるブロック図を示している。図２では、撮像部が備わったデータ要請装置２１０でデータを要請する場合について説明する。
【００４４】
データ要請装置２１０は、撮像部２１２、時間情報生成部２１４、要請命令生成部２１６及び伝送部２１９を含む。
【００４５】
撮像部２１２は、被写物を撮影する。
【００４６】
時間情報生成部２１４は、撮像部２１２が被写物を撮影した時間を示す時間情報を生成する。
【００４７】
要請命令生成部２１６は、モード判断部２１７及び生成部２１８を含む。
【００４８】
モード判断部２１７は、データ要請装置２１０の動作モードを判断する。データ要請装置２１０の動作モードは、実施形態によって多様に区分されうる。一実施形態では、データ要請装置２１０の動作モードを、撮影モードとキャプチャモードとに区分できる。撮影モードは、撮像部２１２に像結された被写物を撮影するためのモードであり、キャプチャモードは、撮像部２１２に像結された装置にデータを要求するためのモードである。
【００４９】
一例として、データ要請装置２１０の動作モードが撮影モードであるとき、撮像部２１２がＴＶを撮影すれば、ＴＶに係わる映像データを獲得し、データ要請装置２１０の動作モードがキャプチャモードであるとき、撮像部２１２がＴＶを撮影すれば、ＴＶで出力される映像データを、ＴＶ（または、外部サーバ）に要請する。
【００５０】
モード判断部２１７は、多様な基準によって、データ要請装置１１０の動作モードを判断できる。以下、データ要請装置１１０の動作モードを判断する３つの基準について説明するが、動作モードを判断する基準が、これに限定されるものではない。
【００５１】
第１実施形態で、ユーザがデータ要請装置２１０の動作モードを直接設定するように誘導する。データ要請装置２１０に電源が印加されたり、撮像部２１２が被写体を撮影すれば、ユーザがデータ要請装置２１０の動作モードを直接設定するように、質疑ウインドーを出力できる。
【００５２】
第２実施形態で、モード判断部２１７は、撮像部２１２が撮影した被写体を分析し、動作モードを判断できる。撮像部２１２が撮影した被写体が出力部２２２を含めば、データ要請装置２１０の動作モードをキャプチャモードであると判断できる。基準を厳格に適用する場合、撮像部２１２が被写体の出力部２２２を撮影する場合にだけ、データ要請装置２１０の動作モードをキャプチャモードであると判断できる。第２実施形態では、撮像部２１２が出力部２２２が含まれた被写体を撮影する場合に、データ要請装置２１０の動作モードをキャプチャモードであると判断すると仮定したが、他の実施形態では、ユーザがシャッタを押さずに（被写体が撮影されない）、撮像部２１２に出力部２２２が含まれた被写体が像結される場合にも、データ要請装置２１０の動作モードをキャプチャモードであると判断できる。
【００５３】
第３実施形態で、所定の条件を満足するならば、データ要請装置２１０のモードをキャプチャモードに決定できる。例えば、データ要請装置２１０とデータ獲得装置２２０との通信が連結された状態で、撮像部２１２に被写体の出力部２２２が一定時間以上フォーカシングされれば、データ要請装置２１０の動作モードをキャプチャモードに決定できる。
【００５４】
このように、従来に特定機能を提供していた機器が、特定条件ではキャプチャモードとして動作するように設定することによって、本発明を適用できる機器の種類を拡大できる。
【００５５】
データ要請装置２１０の動作モードに係わる説明は、図４で詳細に後述する。
【００５６】
生成部２１８は、データ要請装置２１０の動作モードがキャプチャモードであると判断されれば、前述のデータ要請命令を生成する。すなわち、データ要請装置２１０の動作モードが撮影モードである場合には、データ要請命令を生成せず、データ要請装置２１０の動作モードがキャプチャモードである場合にだけデータ要請命令を生成する。
【００５７】
データ要請命令には、撮像部２１２が撮影したデータ獲得装置２２０に係わる映像データが含まれうる。ユーザは、データ獲得装置２２０の出力部２２２で、所望するデータが出力されれば、撮像部２１２を介して、出力部２２２を撮影する。生成部２１８は、出力部２２２が撮影して獲得した映像データをデータ要請命令に挿入することによって、データ要請装置２２０がデータをさらに容易に検索できるようにする。
【００５８】
伝送部２１９は、データ要請命令を、データ獲得装置２２０内の受信部２２６に伝送する。図２でのように、データ要請装置２１０とデータ提供装置２２０とが直接連結された場合、伝送部２１９は、データ提供装置２２０にデータ要請命令を伝送するが、図４でのように、サーバを介してデータ要請装置２１０とデータ提供装置２２０とが連結された場合、伝送部２１９は、外部サーバにデータ要請命令を伝送する。
【００５９】
データ獲得装置２２０は、出力部２２２、保存部２２４、受信部２２６及び獲得部２２８を含む。
【００６０】
出力部２２２は、データを出力する。
【００６１】
保存部２２４は、出力されたデータを保存する。
【００６２】
受信部２２６は、データ要請装置２１０からデータ要請命令を受信する。
【００６３】
獲得部２２８が時間情報によって示される時点で、出力部２２２で出力したデータを獲得する。獲得部２２８は、データ獲得装置２２０の内部でデータを獲得したり、外部装置から受信することができる。
【００６４】
獲得部２２８は、データ獲得装置２２０の内部でデータを獲得する場合、獲得部２２８は、検索部２２９を含むことができる。
【００６５】
検索部２２９は、データ要請命令に含まれた時間情報に基づいて、保存部２２４に保存されたデータを検索する。データ要請命令に、データ獲得装置２２０に係わる映像データが含まれた場合には、検索部２２９は、データ要請命令に含まれた映像データと保存された映像データとを比較する。
【００６６】
獲得部２２８が外部装置（図示せず）からデータを獲得する場合、獲得部２２８は、要請部（図示せず）及び受信部（図示せず）を含むことができる。
【００６７】
要請部（図示せず）は、データ要請命令に含まれた時間情報に基づいて、時間情報によって示される時点で、出力部２２２ではいかなるデータが出力されたかを判断する。要請部（図示せず）は、出力されたデータを特定するのに必要な情報を外部装置（図示せず）に伝送する。例えば、要請部（図示せず）は、データの識別情報（例えば、コンテンツの識別子、プログラム識別子）とフレーム番号（または、時間情報）とを外部装置（図示せず）に伝送できる。
【００６８】
受信部（図示せず）は、要請部（図示せず）の要請に対応してデータを受信する。
【００６９】
図３（図３Ａないし図３Ｃ）は、本発明の一実施形態によるデータ獲得過程を示す。
【００７０】
図３Ａないし図３Ｃで、データ要請装置は、カメラを具備した携帯電話３１０であり、データ獲得装置は、ディスプレイ部を具備したデスクトップ３２０である。
【００７１】
図３Ａで、ユーザは、携帯電話３１０に備わったカメラを利用し、デスクトップ３２０を撮影した。携帯電話３１０は、撮影時間を示す時間情報が含まれたデータ要請命令を生成し、これをデスクトップ３２０に伝送する。
【００７２】
図３Ｂで、デスクトップ３２０は、時間情報によって示される時点で、ディスプレイ部に出力された映像データを獲得する。デスクトップ３２０は、ディスプレイ部に出力された画面をキャップチャしたり、保存空間を検索することによって、携帯電話３１０が要請するデータを獲得できる。
【００７３】
図３Ｃで、携帯電話３１０は、デスクトップ３２０から映像データを受信する。
【００７４】
図４は、本発明の一実施形態によるネットワーク・システム４００に係わるブロック図を示している。
【００７５】
ネットワーク・システム４００で、データ要請装置１１０とデータ提供装置１２０は、サーバ４１０を介して連結されている。しかし、周辺機器４２０は、データ提供装置１２０と直接連結している。
【００７６】
データ要請装置１１０とネットワーク・システム４００は、ホームネットワーク・システムのような小規模ネットワークでもありうるが、ＨＳＤＰＡ（high-speed downlink packet access）、Wibroのような大規模ネットワークでもありうる。サーバ４１０には、データ要請装置１１０とデータ提供装置１２０とがいずれも登録されており、データ要請装置１１０とデータ提供装置１２０は、ネットワーク・システム４００内でのみ相互間の通信が可能である。しかし、データ提供装置１２０は、サーバ４１０を経由せずとも、周辺機器４２０と通信を行うことができる。
【００７７】
図５は、本発明の一実施形態によるデータ獲得システムのフローチャートを示している。
【００７８】
段階Ｓ５１０で、データ獲得装置１１０は、時間情報を含むデータ要請命令を生成する。データ要請命令は、時間情報によって示される時点で、データ獲得装置１２０の出力部で出力されたデータを要請する。
【００７９】
段階Ｓ５２０で、データ要請装置１１０は、データ要請命令をデータ獲得装置１２０に伝送する。
【００８０】
段階Ｓ５３０で、データ獲得装置１２０は、データベースを検索し、時間情報によって示される時点で、データ獲得装置１２０の出力部で出力されたデータを検索する。
【００８１】
段階Ｓ５４２で、データ獲得装置１２０は、データ要請装置１１０が要請したデータを外部サーバ５０２に要請する。
【００８２】
段階Ｓ５４４で、データ獲得装置１２０は、外部サーバ５０２からデータ要請装置１１０が要請したデータを受信する。
【００８３】
段階Ｓ５４２ないし段階Ｓ５４４は、段階Ｓ５３０を行い、所望するデータを検索した場合には行われない。
【００８４】
段階Ｓ５５２では、獲得したデータをデータ要請装置１１０に伝送する。データ要請命令に、獲得したデータが伝送される周辺機器５０１が指定された場合には、段階Ｓ５５４を行う。
【００８５】
段階Ｓ５５４で、データ獲得装置１２０は、獲得したデータを周辺機器５０１に伝送する。
【００８６】
図６は、本発明の一実施形態によるデータ要請装置１００の動作モードに係わる一例について説明している。
【００８７】
図６に図示された表は、ユーザがデータ要請装置２１０の動作モードに係わる情報を要請するときに、ディスプレイされうる。
【００８８】
データ要請装置２１０は、撮影モード６１０、キャプチャモード６２０、検索モード６３０及び付加情報獲得モード６４０のうち一つで動作でき、ユーザは、データ要請装置２１０に付着されたスクロールやタッチスクリーンなどを操作してモードを変更できる。実施形態によっては、それぞれのモードに該当するボタンを、データ要請装置２１０の表面に付着させ、所望するボタンを押すことによって、モードを変更させられる。
【００８９】
本明細書では、ユーザが動作モードを設定した後、動作開始ボタン（例えば、カメラシャッタ）を押せば、設定されたモードによって、データ要請装置１１０が動作すると仮定した。しかし、実施形態によっては、撮像部２１２に像結される瞬間、設定されたモードによって、データ要請装置２１０が動作したり、それぞれのモードに対応するボタンをユーザが押す瞬間、設定されたモードによって、データ要請装置２１０が動作することも可能である。
【００９０】
撮影モード６１０は、撮像部２１２に結像された被写体を撮影するためのモードである。データ要請装置２１０の動作モードが、撮影モード６１０に設定された状態で、ユーザが動作開始ボタンを押せば、撮像部２１２は、結像された被写体に係わる映像データを獲得する。一例として、撮像部２１２にＴＶの像が結ばれた状態で、ユーザが動作開始ボタンを押せば、ＴＶに係わる映像データが獲得される。
【００９１】
キャプチャモード６２０は、撮像部２１２に結像された装置で出力されるデータを要請するためのモードである。データ要請装置２１０の動作モードが、キャプチャモード６２０に設定された状態で、ユーザが動作開始ボタンを押せば、ボタンを押した時点で、被写体の出力部で出力されたデータを要請するデータ要請命令が生成される。一例として、撮像部２１２にＴＶの像が結ばれた状態で、ユーザが動作開始ボタンを押せば、ＴＶで出力されるデータを要請する要請命令が生成される。要請命令を受信したＴＶは、要請されたデータを獲得して伝送する。
【００９２】
検索モード６３０は、撮像部２１２に結像された事物または文字と関連した情報を検索するためのモードである。データ要請装置２１０の動作モードが検索モード６３０に設定された状態で、ユーザが動作開始ボタンを押せば、撮像部２１２に結像された事物または文字と関連した情報が検索される。一例として、撮像部２１２に、「Wibro」という文字または「Wibro」の中継器の像が結ばれた状態で、ユーザが動作開始ボタンを押せば、「Wibro」と関連した情報が検索エンジンを介して検索される。このとき、検索される範囲については、ユーザが事前に決定できる。検索された情報は、データ要請装置１１０または周辺装置（図示せず）伝えられうる。
【００９３】
付加情報獲得モード６４０は、撮像部２１２に結像された装置で出力されるデータに係わるメタデータを獲得するためのモードである。データ要請装置２１０の動作モードが、付加情報獲得モード６４０に設定された状態で、ユーザが動作開始ボタンを押せば、撮像部２１２に結像された装置で出力されるデータに係わるメタデータが検索される。一例として、撮像部２１２にＴＶの像が結ばれた状態で、ユーザが動作開始ボタンを押せば、現在ＴＶで出力されている放送プログラムに係わるメタデータの獲得を要請する要請信号が生成される。要請信号を受信したＴＶまたは放送サーバは、ＥＰＧ（exterior gateway protocol）情報のようなメタデータを獲得し、データ要請装置２１０に伝達したり内部に保存する。
【００９４】
図７は、本発明の一実施形態によるデータ要請命令７００に係わるデータ構造を示している。
【００９５】
データ要請命令７００は、データ要請装置１１０が要請したデータを特定するためのいかなる情報も含まれうる。
【００９６】
データ要請命令７００は、命令語識別子７１０、時間情報７２０、対象領域情報７３０、フォーマット情報７４０及び周辺機器情報７５０から構成される。
【００９７】
命令語識別子７１０は、データ要請命令７００の種類を示す。
【００９８】
時間情報７２０は、所望するデータがデータ獲得装置１２０で出力された時点を示す情報である。データ要請装置１１０での時間と、データ提供装置１２０での時間は、同期化されていることが望ましい。データ提供装置１２０は、時間情報７２０が示す時点で、いかなるデータが出力されたかを確認した後、当該データを検索する。対象領域情報７３０は、所望するデータ領域を示す情報である。データ獲得装置１２０は、要請時間情報７２０に基づいて、キャプチャする映像フレームを検索した後、対象領域情報７３０に基づいて、映像フレーム内で特定領域をキャプチャすることができる。フォーマット情報７４０は、データ要請装置１１０が所望するデータフォーマット情報が含まれる。一例として、フォーマット情報７４０には、データの解像度、データサイズ、データの形式及びエンコーディング情報のうち少なくとも一つが含まれうる。
【００９９】
周辺機器情報７５０には、キャプチャされたデータが伝送される周辺機器に係わる情報を示す。データ獲得装置１２０は、データ要請装置１１０が要請するデータを獲得した後、獲得されたデータを周辺機器情報７５０が示す周辺機器に伝送する。
【０１００】
図８は、本発明の一実施形態によるデータ要請方法に係わるフローチャートを示している。
【０１０１】
段階Ｓ８１０では、データを要請する第１機器が時間情報を生成する。時間情報は、ユーザが被写体を撮影したり、インターフェースを押すなどのユーザ入力信号が発生した時点を示す。
【０１０２】
段階Ｓ８２０では、時間情報によって示される時点で、第２機器で出力されたデータを要請するデータ要請命令を生成する。データ要請命令は、第１機器の動作モードがキャプチャモードである場合に生成されうる。
【０１０３】
データ要請命令は、第２機器に係わる映像データ、要請されたデータが伝送される第３機器についての識別情報などが含まれうる。
【０１０４】
段階Ｓ８３０で、第１機器は、データ要請命令を第２機器に伝送する。
【０１０５】
図９は、本発明の一実施形態によるデータ要請方法に係わるフローチャートを示している。
【０１０６】
段階Ｓ９１０では、第２機器がデータを出力する。
【０１０７】
段階Ｓ９２０では、第２機器が第１機器から時間情報が含まれたデータ要請命令を受信する。
【０１０８】
段階Ｓ９３０では、第２機器が時間情報に基づいて、時間情報によって示される時点で、第２機器で出力されたデータを獲得する。
【０１０９】
一方、前述の本発明の実施形態は、コンピュータで実行されうるプログラムで作成可能であり、コンピュータで読み取り可能な記録媒体を利用し、前記プログラムを動作させる汎用デジタル・コンピュータで具現されうる。
【０１１０】
前記コンピュータで読み取り可能な記録媒体は、マグネチック保存媒体（例えば、ＲＯＭ（read-only memory）、フロッピー（登録商標）ディスク、ハードディスクなど）、光学的判読媒体（例えば、ＣＤ−ＲＯＭ、ＤＶＤなど）、及びキャリアウェーブ（例えば、インターネットを介した伝送）のような記録媒体を含む。
【０１１１】
以上、本発明について、その望ましい実施形態を中心に述べた。本発明が属する技術分野で当業者であるならば、本発明が本発明の本質的な特性から外れない範囲で変形された形態で具現されうることを理解することができるであろう。従って、開示された実施形態は、限定的な観点ではなく、説明的な観点から考慮されなければならない。本発明の範囲は、前述の説明ではなくして、特許請求の範囲に示されており、それと同等な範囲内にあるあらゆる差異点は、本発明に含まれたものであると解釈されなければならない。
【符号の説明】
【０１１２】
１００，２００    データ獲得システム
１１０，２１０    データ要請装置
１１２，２１４    時間情報生成部
１１４    要請命令生成部
１１６，２１９    伝送部
１２０，２２０    データ獲得装置
１２２，２２２    出力部
１２４，２２６    受信部
１２６，２２８    獲得部
２１２    撮像部
２１７    モード判断部
２１８    生成部
２２４    保存部
２２９    検索部
３１０    携帯電話
３２０    デスクトップ
４００    ネットワーク・システム
４１０    サーバ
４２０    周辺機器
６１０    撮影モード
６２０    キャプチャモード
６３０    付加情報獲得モード
７１０    命令語識別子
７２０    時間情報
７３０    対象領域情報
７４０    フォーマット情報
７５０    周辺機器情報
【図１】
2011045084.tif 000003
【図２】
2011045084.tif 000004
【図３】
2011045084.tif 000005
【図４】
2011045084.tif 000006
【図５】
2011045084.tif 000007
【図６】
2011045084.tif 000008
【図７】
2011045084.tif 000009
【図８】
2011045084.tif 000010
【図９】
2011045084.tif 000011